(57)【特許請求の範囲】
【請求項１】
チェックシートを記憶する記憶手段と、スイングを撮影する画像撮影手段と、撮影されたスイング画像を記憶する画像記憶手段と、撮影されたスイング画像から特定のスイングポジションに対応する静止画像を選択する静止画像選択手段と、上記静止画像選択手段によって選択された静止画像を上記チェックシートのスイングポジション対応位置に配置する静止画像配置手段とを備え、
上記画像選択手段では、インパクトを、画像、打球音又はヘッドの通過を感知するセンサにて判断し、このインパクトとの時間差にて、各ポジションの画像をソフトウエアが自動判断し、
上記チェックシートが、上記スイングポジションごとに設定されたチェック項目を有しており、
上記チェック項目に対応した評価選択肢が設定されているスイング診断システム。
【請求項２】
上記チェックシートが、上記スイングポジションに対応する比較用画像を有しており、
上記比較用画像と上記選択された静止画像とが並んで配置される請求項１に記載のスイング診断システム。
【請求項３】
スイング評価が記入される前のチェックシートを用意するステップと、スイングを撮影するステップと、撮影されたスイング画像から特定のスイングポジションに対応する静止画像を選択するステップと、選択された静止画像を上記チェックシートのスイングポジション対応位置に配置するステップと、上記静止画像が配置されたチェックシートに基づいてスイング分析を行うステップとを含み、
上記画像選択ステップでは、インパクトを、画像、打球音又はヘッドの通過を感知するセンサにて判断し、このインパクトとの時間差にて、各ポジションの画像をソフトウエアが自動判断し、
上記チェックシートが、上記スイングポジションごとに設定されたチェック項目を有しており、
上記チェック項目に対応した評価選択肢が設定されており、
上記スイング分析を行うステップにおいて、上記チェック項目が指定されるとともに、指定された上記チェック項目に対応する上記評価選択肢が選択されるスイング診断方法。
【発明の詳細な説明】
【技術分野】
【０００１】
本発明は、ゴルフスイング診断システムに関する。
【背景技術】
【０００２】
多くのゴルファーは、スイング上の欠点を有する。適切なアドバイスによって、スイングは改善されうる。より客観的で適切なスイング診断が求められている。
【０００３】
特開２００３−８８６０４号公報は、効果的なスイングチェックが可能なゴルフスイング記録保存システムを開示する。
【先行技術文献】
【特許文献】
【０００４】
【特許文献１】特開２００３−８８６０４公報
【発明の概要】
【発明が解決しようとする課題】
【０００５】
ゴルフスイングは、ゴルファーごとに異なる。あらゆるゴルファーに対して適切なアドバイスを行うことは容易ではない。教える人（レッスンプロ等）によってアドバイスが相違する場合、教えられる側のゴルファーは混乱する。より適切なスイング診断が求められている。
【０００６】
本発明の目的は、より適切なスイング診断が可能なシステムの提供にある。
【課題を解決するための手段】
【０００７】
本発明のゴルフスイング診断システムは、チェックシートを記憶する記憶手段と、スイングを撮影する画像撮影手段と、撮影されたスイング画像を記憶する画像記憶手段と、撮影されたスイング画像から特定のスイングボジションに対応する静止画像を選択する静止画像選択手段と、上記静止画像選択手段によって選択された静止画像を上記チェックシートのスイングポジション対応位置に配置する静止画像配置手段とを備えている。
【０００８】
好ましくは、上記チェックシートが、上記スイングポジションごとに設定されたチェック項目を有している。好ましくは、上記チェック項目に対応した評価選択肢が設定されている。
【０００９】
好ましくは、上記チェックシートが、上記スイングボジションに対応する比較用画像を有している。好ましくは、上記比較用画像と上記選択された静止画像とが並んで配置される。
【００１０】
本発明のゴルフスイング診断方法は、スイング評価が記入される前のチェックシートを用意するステップと、スイングを撮影するステップと、撮影されたスイング画像から特定のスイングボジションに対応する静止画像を選択するステップと、選択された静止画像を上記チェックシートのスイングポジション対応位置に配置するステップと、上記静止画像が配置されたチェックシートに基づいてスイング分析を行うステップとを含む。
【００１１】
好ましくは、上記チェックシートが、上記スイングポジションごとに設定されたチェック項目を有している。好ましくは、上記チェック項目に対応した評価選択肢が設定されている。好ましくは、上記スイング分析を行うステップにおいて、上記チェック項目が指定されるとともに、指定された上記チェック項目に対応する上記評価選択肢が選択される。
【発明の効果】
【００１２】
より適切なスイング診断が可能となる。
【図面の簡単な説明】
【００１３】
【図１】図１は、本発明の一実施形態に係るスイング診断システムの概略構成を示す図である。
【図２】図２は、情報処理装置のシステム構成の一例を示す図である。
【図３】図３は、スイング診断の手順の一例を示すフローチャートである。
【図４】図４は、スイングポジションを説明するための図である。
【図５】図５は、スイングポジションを説明するための図である。
【図６】図６は、実施形態のスイングポジションを説明するための図である。
【図７】図７は、記入前のチェックシートの一例を示す図である。
【図８】図８は、記入前のチェックシートの一例を示す図である。
【図９】図９は、記入後のチェックシートの一例を示す図である。
【図１０】図１０は、記入後のチェックシートの一例を示す図である。
【図１１】図１１は、図９の一部が示された拡大図である。
【図１２】図１２は、図１１と同様の拡大図であり、評価選択肢の選択について説明するための図である。
【図１３】図１３は、別シートの一例が示された図である。
【図１４】図１４は、別シートの他の一例が示された図である。
【図１５】図１５は、別シートの他の一例が示された図である。
【図１６】図１６は、カルテシートの一例が示された図である。
【図１７】図１７は、図１６の一部が示された拡大図であり、選択肢の選択について説明するための図である。
【図１８】図１８は、フィジカルチェックシートの一例が示された図である。
【図１９】図１９は、他の実施形態に係るチェックシートが示された図である。
【発明を実施するための形態】
【００１４】
以下、適宜図面が参照されつつ、好ましい実施形態に基づいて本発明が詳細に説明される。
【００１５】
図１は、スイング診断システムＫ１の一実施形態を示す図である。図１では、スイング診断システムＫ１に加えて、被験者ｈ１、ゴルフクラブｇｃ及びゴルフボールｇｂが図示されている。被験者ｈ１は、右利きのゴルファーである。被験者ｈ１は、左利きのゴルファーであってもよい。
【００１６】
スイング診断システムＫ１は、カメラ４と、情報処理装置６とを有している。カメラ４は、ハブ５を介して、情報処理装置６に接続されている。ハブ５が用いられなくても良い。情報処理装置６の一例は、汎用のコンピュータである。２台以上の情報処理装置６が用いられても良い。また、必要に応じて、画像を鮮明とするための照明装置が用いられる。
【００１７】
本実施形態では、カメラ４は３台である。カメラ４は、被験者ｈ１の正面に設置された正面カメラ４ａ、被験者ｈ１の飛球線方向後方に設置された後方カメラ４ｂ、及び、被験者ｈ１の上方に設置された上方カメラ４ｃである。カメラ４の台数は限定されない。スイング診断の正確性の観点から、互いに設置位置が相違する２台以上のカメラ４が用いられるのが好ましい。スイング診断の正確性の観点から、スイング診断システムＫ１は、正面カメラ４ａ及び後方カメラ４ｂを有するのが好ましく、更に上方カメラ４ｃを有するのがより好ましい。
【００１８】
なお、カメラ４の種類は限定されない。カメラ４の種類として、カラーのＣＣＤカメラ及びモノクロのＣＣＤカメラが例示される。スイング診断の精度の観点から、カラー画像を得ることが可能なカメラ４が好ましい。
【００１９】
高速で動くスイングの静止画像を得る観点から、シャッタースピードは短いのが好ましい。特に好ましいシャッタースピードは、（１／５００）秒以下である。
【００２０】
図２は、情報処理装置６のハードウエア構成の一例を示す。情報処理装置６は、操作入力部８と、データ入力部１０と、表示部１２と、ハードディスク１４と、メモリ１６と、ＣＰＵ１８とを備えている。
【００２１】
操作入力部８は、キーボードとマウスとを備えている。
【００２２】
データ入力部１０は、カメラ４から出力されるデータを入力するためのインタフェースボード（図示省略）等を備えている。データ入力部１０に入力されたデータは、ＣＰＵ１８に出力される。
【００２３】
表示部１２は、例えば、ディスプレイである。この表示部１２は、ＣＰＵ１８に制御されつつ、各種データを表示しうる。表示部１２は、後述される各シート（チェックシート等）を表示する。
【００２４】
ＣＰＵ１８は、例えば、ハードディスク１４に記憶されているプログラムを読み出してメモリ１６の作業領域に展開し、そのプログラムに従って各種処理を実行する。このプログラムの好ましい一例は、後述される表計算ソフトである。
【００２５】
メモリ１６は、例えば、書き換え可能なメモリであり、ハードディスク１４から読み出されたプログラムや入力データ等の格納領域や作業領域等を構成する。
【００２６】
ハードディスク１４は、データ処理等に必要なプログラム及びデータ等を記憶している。このプログラムは、ＣＰＵ１８に、必要なデータ処理を実行させる。
【００２７】
ハードディスク１４に記憶されていてもよいプログラムとして、例えば、撮影されたスイング画像から特定のスイングポジションに対応する静止画像の選択を行うプログラム及び上記表計算ソフトが挙げられる。この静止画像選択のステップについては、後述される。
【００２８】
上記ハードディスク１４は、チェックシートを記憶する記憶手段の一例である。上記カメラ４は、スイングを撮影する画像撮影手段の一例である。上記ハードディスク１４は、撮影されたスイング画像を記憶する画像記憶手段の一例である。
【００２９】
撮影されたスイング画像から特定のスイングボジションに対応する静止画像を選択する処理が、静止画像選択手段である。後述されるステップｓｔ２００の処理が、静止画像選択手段に該当する。この処理は、ＣＰＵ１８によってなされる。この処理には、必要に応じて、自動化プログラムが用いられる。
【００３０】
なお、本願では、スイング中の局面が、「スイングポジション」又は単に「ポジション」とも称される。撮影により得られる静止画像の数は、少なくとも、診断に必要なスイングポジションの数と同数である。画像選択の自由度の観点から、好ましくは、撮影により得られる静止画像の数は、診断必要なスイングポジションの数よりも多い。
【００３１】
上記静止画像選択手段によって選択された静止画像を上記チェックシートのスイングポジション対応位置に配置する処理が、静止画像配置手段である。後述されるステップｓｔ３００の処理が、静止画像配置手段に該当する。この処理は、ＣＰＵ１８によってなされる。この処理には、必要に応じて、自動化プログラムが用いられる。
【００３２】
図３は、本発明にかかるスイング診断方法の手順の一例を示すフローチャートである。このスイング診断方法では、先ず、被験者ｈ１のスイングが撮影される（ステップｓｔ１００）。好ましくは、スイングの全部（アドレスからフィニッシュまで）が撮影される。
【００３３】
好ましくは、撮影された画像のデータは、デジタルデータとして、上記ハードディスク１４等の画像記憶手段に記憶される。
【００３４】
この撮影により、例えば、動画が得られる。この動画は、多数のフレーム（静止画像）を含んでいる。これらの静止画像の中から、スイング診断に適した局面の静止画像が選択される（ステップｓｔ２００）。
【００３５】
このステップｓｔ２００では、例えば、ＣＰＵ１８が、撮影により得られた静止画像の中から、特定のスイングポジションに対応する静止画像を選択する。この選択の詳細については、後述される。特定のスイングポジションは、例えば、後述される１１個のポジションである。
【００３６】
次に、選択された静止画像（例えば、動画から抽出されたフレーム）が、チェックシートに配置される（ステップｓｔ３００）。選択された静止画像のそれぞれは、撮影時刻を有している。一方、スイングポジションも時系列的である。よって、時刻情報を用いて、静止画像のそれぞれを適切なスイングポジション対応位置に配置することができる。このステップｓｔ３００では、例えば、ＣＰＵ１８が、選択された静止画像を、撮影時刻の早い順に、チェックシートのスイングポジション対応位置に配置する。
【００３７】
次に、スイング分析がなされる（ステップｓｔ４００）。選択された静止画像に基づいてスイングが分析される。被験者ｈ１の画像には、必要に応じて、補助線が引かれる。この補助線は、スイングの分析に役立つ。
【００３８】
次に、各スイングポジションについて設定されているチェック項目が指定される（ステップｓｔ５００）。これらのチェック項目は、チェック項目記憶手段によって記憶されている。このチェック項目記憶手段の一例は、上記ハードディスク１４である。これらのチェック項目は、チェックシートｃｓの一部として記憶されている。改善が必要なチェック項目が指定される。具体的には、改善が必要なチェック項目が、操作入力部８（マウス）によってクリックされる。また指定されたチェック項目について、評価選択肢が選択される（ステップｓｔ５００）。チェック項目の指定及び評価選択肢の選択については、後述される。
【００３９】
以下、評価方法の詳細が説明される。
【００４０】
［スイングポジション］
図４及び図５は、スイングポジションについて説明するための図である。図４及び図５では、典型的なスイングが示されている。スイングの始まりは、アドレスである。スイングの終わりは、フィニッシュと称される。スイングは、ポジション（Ｓ１）、ポジション（Ｓ２）、ポジション（Ｓ３）、ポジション（Ｓ４）、ポジション（Ｓ５）、ポジション（Ｓ６）、ポジション（Ｓ７）、ポジション（Ｓ８）の順で進行する。ポジション（Ｓ１）からポジション（Ｓ４）までが、図４に示されている。ポジション（Ｓ５）からポジション（Ｓ８）までが、図５に示されている。
【００４１】
ポジション（Ｓ１）は、アドレスである。ポジション（Ｓ２）は、テークバック中の局面である。ポジション（Ｓ３）は、トップオブスイング（トップ）である。ポジション（Ｓ４）は、ダウンスイング中の局面である。ポジション（Ｓ５）も、ダウンスイング中の局面である。ポジション（Ｓ５）は、ポジション（Ｓ４）よりもダウンスイングが進行した状態である。ポジション（Ｓ６）は、インパクトである。インパクトは、ゴルフクラブｇｃのヘッドとゴルフボールｇｂとが衝突する瞬間である。ポジション（Ｓ７）は、フォロースルー中の局面である。ポジション（Ｓ８）は、フィニッシュである。フィニッシュは、スイングの終了を意味する。
【００４２】
本発明において採用されるスイングポジションの数は限定されない。少なくとも一のスイングポジションが採用される。スイング診断の精度の観点から、好ましくは、本発明におけるスイングポジションは、アドレス、テークバック中の少なくとも一の局面、トップオブスイング（トップ）、ダウンスイング中の少なくとも一の局面、インパクト、フォロースルー中の少なくとも一の局面及びフィニッシュを含む。
【００４３】
なお、スイングポジションの採用では、誤差が許容されうる。僅かな誤差は、スイング診断にほとんど影響しない。この許容誤差は、通常、好ましくは±０．０２秒以内、より好ましくは±０．０１秒以内である。例えば、許容誤差が０．０２秒である場合、「インパクト」のスイングポジションは、実際にボールがクラブに衝突する瞬間の０．０２秒前から０．０２秒後までとされうる。
【００４４】
インパクトは、画像から判断することができる。またインパクトは、打球音により判断することができる。またインパクトは、ヘッドの通過を感知するセンサによって判断されうる。インパクトの決定方法は限定されない。
【００４５】
トップオブスイングは、例えば、画像から判断されうる。トップオブスイングの定義として、次の［定義１］、［定義２］又は［定義３］が可能である。下記以外の定義が採用されてもよい。
［定義１］グリップ軸線方向と、アドレス時のグリップ軸線方向との成す角度が、最大となる時刻。
［定義２］ヘッド移動速度の大きさがスイング中において最小となる時刻。
［定義３］グリップ先端の動きが、バックスイング方向からダウンスイング方向に転換する瞬間の時刻。
なお、上記［定義３］において、グリップ先端とは、グリップのヘッド側の端である。
【００４６】
図６は、本実施形態で採用されたスイングポジションを説明するための図である。この図６では、被験者ｈ１及びゴルフクラブｇｃが簡略化されて示されている。
【００４７】
本実施形態のスイングポジションは、図４及び図５に示されたスイングポジションよりも細分化されている。図６が示すように、本実施形態では、次の１１のスイングポジションが採用されている。
ポジション１（ｐ１）：アドレス（ゴルフクラブｇｃが概ね６時の位置）
ポジション２（ｐ２）：テークバック（ゴルフクラブｇｃが概ね８時の位置）
ポジション３（ｐ３）：テークバック（ゴルフクラブｇｃが概ね９時の位置）
ポジション４（ｐ４）：テークバック（左腕が概ね水平である位置）
ポジション５（ｐ５）：トップオブスイング
ポジション６（ｐ６）：ダウンスイング（切り返し）
ポジション７（ｐ７）：ダウンスイング（ゴルフクラブｇｃが概ね９時の位置）
ポジション８（ｐ８）：インパクト
ポジション９（ｐ９）：フォロースルー（ゴルフクラブｇｃが概ね４時の位置）
ポジション１０（ｐ１０）：フォロースルー（右腕が略水平である位置）
ポジション１１（ｐ１１）：フィニッシュ
【００４８】
なお、上記のいくつかのスイングポジションでは、正面から見たスイング画像が、アナログ式の時計に見立てられている。例えば、上記「８時の位置」とは、被験者ｈ１を正面から見た画像において、ゴルフクラブｇｃのシャフトが、時計の８時の位置にあることを意味する。
【００４９】
採用されるスイングポジションの数は限定されない。スイング診断の精度の観点から、スイングポジションの数は、７以上が好ましく、９以上がより好ましい。具体的には、スイングポジションは、アドレス、テークバック中の二以上の局面、トップオブスイング（トップ）、ダウンスイング中の少なくとも二以上の局面、インパクト、フォロースルー中の少なくとも一の局面及びフィニッシュを含むのが好ましい。
【００５０】
スイングポジションの数が過大である場合、スイング診断の精度がそれほど向上せず、且つ、診断を受けるゴルファーがかえって混乱することがある。これらの観点から、スイングポジションの数は、１３以下が好ましく、１１以下がより好ましい。
【００５１】
［チェックシート］
図７及び図８は、チェックシートの一例を示す。図７のチェックシートｃｓ１と図８のチェックシートｃｓ２とが一組であり、この一組のチェックシートに、全てのスイングポジションが記載されている。図７及び図８は、使用前の状態を示す。
【００５２】
チェックシートｃｓ１及びチェックシートｃｓ２は、各スイングポジションに対応した記載欄Ｐを有する。本実施形態では、１１個の記載欄Ｐが設けられている。この記載欄Ｐは、ポジション１の記載欄Ｐ１、ポジション２の記載欄Ｐ２、ポジション３の記載欄Ｐ３、ポジション４の記載欄Ｐ４、ポジション５の記載欄Ｐ５、ポジション６の記載欄Ｐ６、ポジション７の記載欄Ｐ７、ポジション８の記載欄Ｐ８、ポジション９の記載欄Ｐ９、ポジション１０の記載欄Ｐ１０、及び、ポジション１１の記載欄Ｐ１１である。
【００５３】
記載欄Ｐのそれぞれは、比較画像配置部Ｖ１、撮影画像配置部Ｖ２、チェック項目表記部Ｃ１及び評価記入部Ｅ１を有する。本実施形態では、記載欄Ｐのそれぞれは、表計算ソフトの８つのセルによって構成ｓれている。
【００５４】
比較画像配置部Ｖ１は、正面カメラ画像配置部Ｖ１１と、後方カメラ画像配置部Ｖ１２とを有する。比較画像配置部Ｖ１は、更に、上方カメラ画像配置部を有していても良い。
【００５５】
撮影画像配置部Ｖ２は、正面カメラ画像配置部Ｖ２１と、後方カメラ画像配置部Ｖ２２とを有する。撮影画像配置部Ｖ２は、更に、上方カメラ画像配置部を有していても良い。
【００５６】
この撮影画像配置部Ｖ２に、上記ステップｓｔ２００で選択された静止画像が配置される（ステップｓｔ３００）。
【００５７】
上記ステップｓｔ３００では、ポジション１の撮影画像配置部Ｖ２に、ポジション１の静止画像が配置される。同様に、ポジション２の撮影画像配置部Ｖ２に、ポジション２の静止画像が配置される。同様に、ポジション３の撮影画像配置部Ｖ２に、ポジション３の静止画像が配置される。ポジション４からポジション１１までについても、同様である。このように、上記ステップｓｔ３００では、ステップｓｔ２００によって選択された静止画像が、チェックシートｃｓのスイングポジション対応位置に配置される。
【００５８】
同一の視点から撮影された比較画像配置部Ｖ１及び撮影画像配置部Ｖ２が、並んで配置されている。即ち、正面カメラ画像配置部Ｖ１１と正面カメラ画像配置部Ｖ２１とが並んで配置されている。また、後方カメラ画像配置部Ｖ１２と後方カメラ画像配置部Ｖ２２とが並んで配置されている。これらの配置により、画像の比較が容易とされる。上方カメラ画像が並んで配置されてもよい。即ち、比較画像配置部Ｖ１の上方カメラ画像配置部と、撮影画像配置部Ｖ２の上方カメラ画像配置部とが並んで配置されていてもよい。
【００５９】
チェック項目表記部Ｃ１は、第一表記部Ｃ１１と第二表記部Ｃ１２とを有する。第一表記部Ｃ１１は、正面カメラの画像に関するチェック項目を表記する。第二表記部Ｃ１２は、後方カメラの画像に関するチェック項目を表記する。このように、各画像に対応したチェック項目表記部Ｃ１が設けられている。チェック項目表記部Ｃ１は、上方カメラの画像に関するチェック項目を表記する第三表記部を更に有していても良い。
【００６０】
評価記入部Ｅ１は、第一記入部Ｅ１１と第二記入部Ｅ１２とを有する。第一記入部Ｅ１１には、上記第一表記部Ｃ１１に対応した評価が記入される。第二記入部Ｅ１２には、上記第二表記部Ｃ１２に対応した評価が記入される。このように、各チェック項目表記部Ｃ１に対応した評価記入部Ｅ１が設けられている。評価記入部Ｅ１は、上記第三表記部に対応した評価が記入される第三記入部を更に有していても良い。
【００６１】
各ポジション及び各視点に対応した比較画像配置部Ｖ１、撮影画像配置部Ｖ２、チェック項目表記部Ｃ１及び評価記入部Ｅ１は、隣接して配置される。例えば、図７が示すように、ポジション１の正面視に対応した比較画像配置部Ｖ１、撮影画像配置部Ｖ２、チェック項目表記部Ｃ１及び評価記入部Ｅ１が、隣接して配置される。図７の実施形態では、比較画像配置部Ｖ１が左上に配置され、撮影画像配置部Ｖ２が右上に配置され、チェック項目表記部Ｃ１が左下に配置され、評価記入部Ｅ１が右下に配置されている。これらの配置により、画像と評価との対比が行いやすい。
【００６２】
なお、図７では、ポジション１の記載欄Ｐ１に関連した部分のみが符号で示されているが、他の記載欄Ｐにおいても同様である。ポジションの記入欄Ｐ（Ｐ１からＰ１１）のそれぞれに、比較画像配置部Ｖ１、撮影画像配置部Ｖ２、チェック項目表記部Ｃ１及び評価記入部Ｅ１が設けられている。
【００６３】
本実施形態では、例えばポジション１のチェック項目表記部Ｃ１（第一表記部Ｃ１１）には、以下のチェック項目が表記されている。
［ポジション１：正面画像］
・スタンス幅
・グリップ持ち方
・グリップ位置
・ボール位置
・体重配分
・頭の位置
・体全体のバランス
・準備、緊張感
【００６４】
また、例えばポジション１のチェック項目表記部Ｃ１（第二表記部Ｃ１２）には、以下のチェック項目が表記されている。
［ポジション１：後方画像］
・ニーアングル
・スパインアングル
・グリップ位置
・腕の下げ方
・アラインメント
・シャフトライン角度
【００６５】
このように、チェック項目表記部Ｃ１には、各ポジション及び各視点に対応したチェック項目が表記されている。
【００６６】
更にチェックシートｃｓ２は、総合評価記入欄Ｔ１を有する（図８参照）。またチェックシートｃｓ２は、打球データ記入欄Ｄ１を有する（図８参照）。これらの記入欄は、スイング診断に役立つ。
【００６７】
図９及び図１０は、使用後のチェックシートｃｓ１及びチェックシートｃｓ２を示す。比較画像配置部Ｖ１の正面カメラ画像配置部Ｖ１１には、正面カメラにより撮影された比較用スイングの画像が配置されている。比較画像配置部Ｖ１の後方カメラ画像配置部Ｖ１２には、後方カメラにより撮影された比較用スイングの画像が配置されている。本実施形態では、比較用スイングとして、プロゴルファーの画像が用いられている。これらの比較用スイングの画像は、被験者ｈ１の画像を配置する前に、予めチェックシートｃｓに配置しておくのが好ましい。
【００６８】
撮影画像配置部Ｖ２の正面カメラ画像配置部Ｖ２１には、正面カメラにより撮影された被験者ｈ１の画像が配置されている。撮影画像配置部Ｖ２の後方カメラ画像配置部Ｖ２２には、後方カメラにより撮影された被験者ｈ１の画像が配置されている。
【００６９】
撮影画像配置部Ｖ２への静止画像の配置は、上記ステップｓｔ３００によって実行される。ステップｓｔ３００は、ソフトウェア等によってなされてもよい。ステップｓｔ３００は、例えば、人間のマウス操作（ドラッグ、ペースト等）のマウス操作によってなされてもよい。
【００７０】
特定のスイングポジション（本実施形態ではポジション１からポジション１１）に対応する静止画像（フレーム）の選択は、上記ステップｓｔ２００によりなされる。このステップｓｔ２００は、自動化されていてもよいし、人間が判断してもよい。好ましくは、このステップｓｔ２００は、ソフトウェアにより自動化される。このソフトウェアは、例えば、インパクトとの時間差によって各ポジションを判断してもよい。このソフトウェアは、例えば、ゴルフクラブの位置を認識しうる画像処理に基づいて各ポジションを判断してもよい。
【００７１】
上記チェックシートｃｓとして、例えば、表計算ソフトのスプレッドシートが用いられる。本実施形態では、表計算ソフトとして、マイクロソフト社の商品名「エクセル」が用いられている。
【００７２】
上記スプレッドシートは、複数のワークシートを有する。これらのワークシート上に、上記チェックシートｃｓが作成されている。
【００７３】
上記ステップｓｔ３００の配置においては、表計算ソフトの機能（例えば上記「エクセル」のマクロ機能）が用いられうる。
【００７４】
図１１は、図９のチェックシートｃｓ１の一部が拡大された図である。図１１では、ポジション１に係る記載欄Ｐ１が拡大されて示されている。
【００７５】
前述の通り、上記ステップｓｔ３００により画像が配置された後、スイング分析（上記ステップｓｔ４００）がなされる。被験者ｈ１のスイング画像に基づいて、スイング分析がなされる。このスイング分析においては、比較用画像が参照される。スイング分析の結果、改善すべきチェック項目が指定される（上記ステップｓｔ５００）。具体的には、図１１に示されるように、改善すべきチェック項目がクリックされ、チェックマークが表記される。
【００７６】
次に、指定されたチェック項目について、評価選択肢が選択される（ステップｓｔ５００）。図１２は、この評価選択肢の選択を説明するための図である。これらの評価選択肢は、選択肢記憶手段に記憶されている。この選択肢記憶手段は、例えば、上記ハードディスク１４である。
【００７７】
本実施形態では、表計算ソフトのプルダウンリスト機能を利用して、評価選択肢が設定されている。チェック項目に隣接するセルに、そのチェック項目に対応したプルダウンリストｐｄが設定されている。このプルダウンリストｐｄを表示するためのリストが、上記選択肢記憶手段に記憶されている。具体的には、このプルダウンリストｐｄを表示するためのリストが、他のセル（図示されない）に記載されている。
【００７８】
チェック項目に隣接するセルがクリックされると、プルダウンボタンｂｔ１が表示される（図１２参照）。このプルダウンボタンｂｔ１をクリックすると、プルダウンリストｐｄ（評価選択肢）が表示される。この表示について説明する。チェック項目に隣接するセルがクリックされると、ＣＰＵ１８が、上記選択肢記憶手段に記憶された評価選択肢を呼び出して表示する。この表示処理が、評価選択肢表示手段に該当する。本実施形態では、情報処理装置６のＣＰＵ１８が、上記選択肢記憶手段に記憶された評価選択肢（プルダウンリストｐｄ）を呼び出し、クリック領域に表示する。この呼び出し及び表示は、ＣＰＵ１８が表計算ソフトのプログラムを実行した結果である。
【００７９】
このプルダウンリストの中から、適切な評価選択肢が選択される。この選択は、操作入力部８（マウス）を用いて画面上をクリックすることによりなされる。ＣＰＵ１８が、評価選択肢（プルダウンリストｐｄ）の中から、クリックされた選択肢のみを表示する。この表示処理が、決定選択肢表示手段に該当する。表計算ソフトのプログラムを実行することにより、この表示が達成される。結果として、チェック項目「体重配分／頭・腰の位置」に隣接したセルに、「左荷重過ぎです。軸意識を持ちましょう。」との評価が記入される（図１１参照）。このように評価選択肢を設けることにより、均質でバラツキの少ない診断が可能である。
【００８０】
上記の如く、スイング診断システムＫ１は、評価選択肢表示手段を有するのが好ましい。上記の如く、スイング診断システムＫ１は、決定選択肢表示手段を有するのが好ましい。
【００８１】
評価選択肢が設定されていないチェック項目が存在しても良い。診断の均質化の観点から、全てのチェック項目に評価選択肢が設定されているのが好ましい。
【００８２】
図１３は、スイングポジションごとの評価結果が記載された別シートｓ２を示す。この別シートｓ２は、上記チェックシートｃｓとは別のワークシート上に作成されている。チェックシートｃｓと別シートｓ２とは、同一のファイル（表計算ソフトのファイル）に含まれる。
【００８３】
この別シートｓ２では、上記チェックシートｃｓから、各ポジションの評価結果が抽出されて示されている。各ポジションごとの評価に注目して考察を行う場合、この別シートｓ２が便利である。この別シートｓ２は、表計算ソフトの参照機能を用いて作成されている。上記チェックシートｃｓにおける評価記入部Ｅ１に評価が記入されると、別シートｓ２のセルが、その記入された評価を参照する。よって、チェックシートｃｓの評価記入部Ｅ１が記入されると同時に別シートｓ２が記入される。
【００８４】
図１４は、別シートｓ３を示す。この別シートｓ３は、上記チェックシートｃｓとは別のワークシート上に作成されている。チェックシートｃｓと別シートｓ３とは、同一のファイル（表計算ソフトのファイル）に含まれる。
【００８５】
この別シートｓ３は、全体評価コメント記入欄ｓ３１と、テーマ別評価記入欄ｓ３２と、ステップ別評価記入欄ｓ３３とを有する。テーマ別評価記入欄ｓ３２には、ポジションごとの評価ではなく、テーマごとの評価が記入される。テーマ別評価記入欄ｓ３２には、「グリップ」、「ポスチャー（アドレス時の姿勢）」、「ボール位置」等のテーマ毎に、評価結果が記入されている。上記別シートｓ２と同様に、この別シートｓ３の記入において、他のチェックシートｃｓのセルを参照する参照機能が用いられてもよい。このシートｓ３は、スイング診断において参考とされうる。
【００８６】
図１５は、ゴルファーの個人情報が記載された個人データシートｓ４を示す。このシートｓ４は、上記チェックシートｃｓとは別のワークシート上に作成されている。チェックシートｃｓとシートｓ４とは、同一のファイル（表計算ソフトのファイル）に含まれる。図１５は、記入される前の状態を示す。このシートｓ４は、スイング診断において参考とされうる。
【００８７】
図１６は、カルテシートｓ５の一例である。このシートｓ５は、上記チェックシートｃｓとは別のワークシート上に作成されている。チェックシートｃｓとシートｓ５とは、同一のファイル（表計算ソフトのファイル）に含まれる。
【００８８】
カルテシートｓ５は、レッスン履歴記入欄ｓ５１を有している。このレッスン履歴記入欄ｓ５１を参考とすることにより、担当指導者が変更された場合であっても、適切な診断がなされうる。またカルテシートｓ５には、指導方針記入欄ｓ５２が設けられている。この指導方針記入欄ｓ５２は、今後の練習に関する記載、指導内容の詳細についての記載、指導の方向性に関する記載等を含む。このシートｓ５は、スイング診断において参考とされうる。
【００８９】
図１７は、上記カルテシートｓ５の一部が拡大された図である。このカルテシートｓ５の少なくとも一の項目において、選択肢が設定されている。表計算ソフトのプルダウンリストｐｄにより、選択肢が設定されている。図１７は、「今クールの方向性」の欄のプルダウンリストｐｄを示している。このプルダウンリストｐｄから、適切な選択肢が選択される。このような選択肢の設定は、指導の均質化に寄与しうる。
【００９０】
図１８は、フィジカルチェックシートｓ６の一例を示す。このシートｓ６は、上記チェックシートｃｓとは別のワークシート上に作成されている。チェックシートｃｓとシートｓ６とは、同一のファイル（表計算ソフトのファイル）に含まれる。図１８は、記入前の状態である。このシートｓ６には、ゴルファーの身体能力に関する事項が記載される。このシートｓ６は、スイング診断において参考とされうる。
【００９１】
前述の如く、上記チェックシートｃｓ、カルテシートｓ５、フィジカルチェックシートｓ６等は、それぞれ、ワークシート上に作成される。複数のワークシートにより、ファイルが形成される。好ましくは、ゴルファーごとにファイルが作成される。表計算ソフト上においてシートを切り替えることにより、全てのシート（チェックシートｃｓ、カルテシートｓ５等）を閲覧することが可能である。
【００９２】
なお、上記図面では、チェックシートｃｓ等の氏名が山田氏であり、カルテシートｓ５等の氏名が山本氏であったが、実際には、一つのファイルが、同一のゴルファーに関する各シートを含む。
【００９３】
図１９は、更に他の実施形態に係るチェックシートｃｓを示す。この図１９の実施形態は、比較用画像を有していない。チェックシートｃｓは、比較用画像を有していなくても良い。チェックシートｃｓは、比較画像配置部Ｖ１を有していなくても良い。
【００９４】
図７及び図８の実施形態では、チェックシートｃｓが２枚に分かれていたが、１枚のチェックシートｃｓが全てのポジションを含んでいてもよいことは当然である。
【００９５】
スイング診断方法に係る本発明は、スイング評価が記入される前のチェックシートを用意するステップと、スイングを撮影するステップと、撮影されたスイング画像から特定のスイングボジションに対応する静止画像を選択するステップと、選択された静止画像を上記チェックシートのスイングポジション対応位置に配置するステップと、上記静止画像が配置されたチェックシートに基づいてスイング分析を行うステップとを含む。
【００９６】
スイング評価が記入される前のチェックシートを用意するステップでは、例えば、図７及び図８に示されるようなチェックシートｃｓが用意される。比較用画像が既に配置されたチェックシートｃｓが用意されてもよい。スイングを撮影するステップは、例えば上記スイング診断システムＫ１を用いて撮影がなされる。撮影されたスイング画像から特定のスイングボジションに対応する静止画像を選択するステップでは、例えば上記ステップｓｔ２００と同様にして選択がなされる。選択された静止画像を上記チェックシートのスイングポジション対応位置に配置するステップでは、例えば上記ステップｓｔ３００と同様にして配置がなされる。
【００９７】
上記チェック項目は限定されない。適切なスイング診断の観点から、好ましいチェック項目は、以下の通りである。なお、以下の項目は右利きゴルファーの場合であり、左利きゴルファーの場合は、左右が逆である。
【００９８】
アドレス（上記ポジション１）に対応するチェック項目は、以下の（ａ１）から（ａ９）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ａ１）スタンス幅に関する項目
（ａ２）グリップの握り方又は位置に関する項目
（ａ３）頭、肩又は腰の位置に関する項目
（ａ４）腕、肘又は手首の状態に関する項目
（ａ５）スパインアングル（背骨の角度又は前傾角度）に関する項目
（ａ６）アラインメント（スタンスの向き）に関する項目
（ａ７）ボールの位置に関する項目
（ａ８）ニーアングルに関する項目
（ａ９）体の重心位置に関する項目
【００９９】
バックスイング（上記ポジション２、３、４）に対応するチェック項目は、以下の（ｂ１）から（ｂ７）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｂ１）テークバックの方向（インサイド、アウトサイド等）に関する項目
（ｂ２）スパインアングルに関する項目
（ｂ３）ニーアングルに関する項目
（ｂ４）リストコック又はリストアングルに関する項目
（ｂ５）クラブフェースの向きに関する項目
（ｂ６）スイングプレーン又はシャフトラインに関する項目
（ｂ７）両腕によって形成される略三角形の状態に関する項目
【０１００】
トップオブスイング（上記ポジション５）に対応するチェック項目は、以下の（ｃ１）から（ｃ７）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｃ１）クラブの位置又はシャフトの方向に関する項目
（ｃ２）リストコック又はリストアングルに関する項目
（ｃ３）フェースの向きに関する項目
（ｃ４）体の捻転に関する項目
（ｃ５）左腕又は左肘の状態に関する項目
（ｃ６）スパインアングルに関する項目
（ｃ７）頭又は背骨の位置に関する項目
【０１０１】
ダウンスイング（上記ポジション６、７）に対応するチェック項目は、以下の（ｄ１）から（ｄ８）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｄ１）切り返しの際の体の動きに関する項目
（ｄ２）腰の開き又は左肩の開きに関する項目
（ｄ３）リストコック又はリストアングルに関する項目
（ｄ４）フェースの向きに関する項目
（ｄ５）スイングプレーンに関する項目
（ｄ６）切り返しのタイミングに関する項目
（ｄ７）頭又は背骨の位置に関する項目
（ｄ８）ニーアングルに関する項目
【０１０２】
インパクト（上記ポジション８）に対応するチェック項目は、以下の（ｅ１）から（ｅ９）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｅ１）ニーアングルに関する項目
（ｅ２）スパインアングルに関する項目
（ｅ３）シャフトの方向に関する項目
（ｅ４）手の高さ又は位置に関する項目
（ｅ５）体の回転に関する項目
（ｅ６）両肘の位置に関する項目
（ｅ７）腰又は肩の向きに関する項目
（ｅ８）スイング軌道に関する項目
（ｅ９）リストコック又はリストアングルに関する項目
【０１０３】
フォロースルー（上記ポジション９、１０）に対応するチェック項目は、以下の（ｆ１）から（ｆ７）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｆ１）左肩又はグリップの位置に関する項目
（ｆ２）スパインアングルに関する項目
（ｆ３）フェースの向きに関する項目
（ｆ４）両腕又は両肘に関する項目
（ｆ５）リストコック又はリストアングルに関する項目
（ｆ６）体重移動に関する項目
（ｆ７）体の回転に関する項目
【０１０４】
フィニッシュ（上記ポジション１１）に対応するチェック項目は、以下の（ｇ１）から（ｇ６）のうちの少なくとも一つを含むのが好ましく、二つ以上を含むのがより好ましく、三つ以上を含むのが更に好ましく、四つ以上を含むのがより好ましく、五つ以上を含むのが更に好ましく、全てを含むのが更に好ましい。
（ｇ１）軸足荷重に関する項目
（ｇ２）シャフトの角度に関する項目
（ｇ３）体の回転に関する項目
（ｇ４）体のバランスに関する項目
（ｇ５）グリップの位置に関する項目
（ｇ６）体全体の位置関係（フィニッシュのフォーム）に関する項目
【０１０５】
スイング診断システムＫ１は、ネットワークを含んでいても良い。例えば複数の情報処理装置６が、ネットワークにより接続されていてもよい。このネットワークにより、複数の情報処理装置６から、スイング診断に関する情報が閲覧できる。このネットワークは、スイング診断に関する情報の共有化に寄与しうる。情報の共有化は、スイング診断の均質化に寄与しうる。また、画像撮影手段と情報処理装置６とがネットワークによって接続されていてもよい。この場合例えば、遠隔地で撮影された画像に基づいたスイング診断が可能である。
【０１０６】
また情報処理装置６が、ネットワークを介して、端末装置と接続されていてもよい。この端末装置として、汎用のコンピュータ及び携帯電話が例示される。このネットワークは、スイング診断情報の発信及び閲覧を容易とする。自己の診断情報に容易にアクセスできる場合、被診断者（たとえばゴルフスクールの生徒）にとって利便性が高い。
【０１０７】
上記ネットワークとして、インターネット及びＬＡＮ（ローカルエリアネットワーク）が例示される。専用回線を用いたネットワークであってもよい。広域性の観点から、インターネットが好ましい。ネットワークが用いられる場合、データの暗号化やユーザ認証等のセキュリティ対策が実施されるのが好ましい。
【産業上の利用可能性】
【０１０８】
以上説明されたシステム及び方法は、ゴルフスイングの診断に適用されうる。
【符号の説明】
【０１０９】
４・・・カメラ
４ａ・・・正面カメラ
４ｂ・・・後方カメラ
４ｃ・・・上方カメラ
６・・・情報処理装置
８・・・操作入力部
１２・・・表示部
ｇｃ・・・ゴルフクラブ
ｈ１・・・被験者（被診断者）
ｃｓ、ｃｓ１、ｃｓ２・・・チェックシート
Ｐ・・・記載欄
Ｐ１からＰ１１・・・各ポジションの記載欄
Ｖ１・・・比較画像配置部
Ｖ１１・・・正面カメラ画像配置部
Ｖ１２・・・後方カメラ画像配置部
Ｖ２・・・撮影画像配置部
Ｖ２１・・・正面カメラ画像配置部
Ｖ２２・・・後方カメラ画像配置部
Ｃ１・・・チェック項目表記部
Ｅ１・・・評価記入部
ｐｄ・・・プルダウンリスト（選択肢）
【図１】
0005424841.tif 000002
【図２】
0005424841.tif 000003
【図３】
0005424841.tif 000004
【図４】
0005424841.tif 000005
【図５】
0005424841.tif 000006
【図６】
0005424841.tif 000007
【図７】
0005424841.tif 000008
【図８】
0005424841.tif 000009
【図１３】
0005424841.tif 000010
【図１５】
0005424841.tif 000011
【図１６】
0005424841.tif 000012
【図１７】
0005424841.tif 000013
【図１８】
0005424841.tif 000014
【図９】
0005424841.tif 000015
【図１０】
0005424841.tif 000016
【図１１】
0005424841.tif 000017
【図１２】
0005424841.tif 000018
【図１４】
0005424841.tif 000019
【図１９】
0005424841.tif 000020